(57)【特許請求の範囲】
【請求項１】
多数の演奏曲のうちから選択される所定の演奏曲を出力させると共に、該演奏曲の出力と併行して該演奏曲の歌詞文字映像を含む演奏映像を表示させるカラオケ装置であって、
音声を入力するための音声入力装置と、
予め定められた複数の属性と各属性に対応する少なくとも１つの語句との関係を記憶する記憶装置と、
複数の区分が定められた歌詞情報に基づいて前記歌詞文字映像の表示制御を行う歌詞文字映像表示制御手段と、
前記記憶装置に記憶された関係から、前記歌詞情報に含まれる語句に基づいて、前記複数の区分にそれぞれ対応する少なくとも１つの属性を決定する属性決定手段と、
前記演奏曲の出力に際して、前記音声入力装置から入力される音声に関する情報に基づいて、前記歌詞情報の区分毎に演奏の採点を行う演奏採点制御手段と、
前記属性決定手段により決定される各区分毎の属性に基づいて、前記演奏採点制御手段による各区分毎の採点結果を前記属性毎に統計する統計制御手段と、
該統計制御手段による前記属性毎の統計結果に基づいて所定の演奏評価映像の表示制御を行う演奏評価映像表示制御手段と
を、備えたものであることを特徴とするカラオケ装置。
【請求項２】
前記統計制御手段は、前記演奏採点制御手段による各区分毎の採点結果をすべて加算して総得点を算出すると共に、前記複数の属性毎に該属性に対応する区分の採点結果を加算して各属性の得点を算出し、前記総得点に対する各属性の得点の比率を算出する統計を行うものである請求項１に記載のカラオケ装置。
【請求項３】
前記複数の区分は、前記歌詞文字映像の表示を切り替えるための情報に基づいて定められたものである請求項１又は２に記載のカラオケ装置。
【請求項４】
前記演奏採点制御手段は、前記演奏曲の出力に際して、前記音声入力装置から入力される音声の音量、テンポ、及び音程に基づいて、前記歌詞情報の区分毎に演奏の採点を行うものである請求項１から３の何れか１項に記載のカラオケ装置。
【発明の詳細な説明】
【技術分野】
【０００１】
本発明は、多数の演奏曲のうちから選択される所定の演奏曲を出力させるカラオケ装置に関し、特に、目新しく娯楽性の高い演奏評価を実現するための改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
ところで、近年普及しているカラオケ装置には、上述のような音楽再生装置としての機能のみならず、音声入力装置（マイクロフォン）から入力される音声情報に基づいて歌唱力等を評価（採点）する演奏評価機能を備えたものがある。例えば、特許文献１に記載されたカラオケ装置がそれである。斯かるカラオケ装置によれば、音程、テンポ、音量等を基準として音声入力装置から入力される音声情報とカラオケ演奏曲の演奏情報とを比較することで、その入力される音声情報に応じて歌唱の評価を採点することができる。
【０００４】
【特許文献１】特開平９−１０１７９４号公報
【発明の開示】
【発明が解決しようとする課題】
【０００５】
しかし、近年においては、上述した従来技術のような演奏評価機能を備えたカラオケ装置が広く普及したことにより、カラオケ演奏における演奏評価は特に目新しいものではなくなった。更には、その機能が音程、テンポ、音量等を基準として演奏を評価するものであることが広く知られるようになり、高得点を出すための選曲や歌い方が確立する等、その娯楽性は低下する傾向となるに至った。このため、目新しく娯楽性の高い演奏評価を実現するカラオケ装置の開発が求められていた。
【０００６】
本発明は、以上の事情を背景として為されたものであり、その目的とするところは、目新しく娯楽性の高い演奏評価を実現するカラオケ装置を提供することにある。
【課題を解決するための手段】
【０００７】
斯かる目的を達成するために、本発明の要旨とするところは、多数の演奏曲のうちから選択される所定の演奏曲を出力させると共に、その演奏曲の出力と併行してその演奏曲の歌詞文字映像を含む演奏映像を表示させるカラオケ装置であって、音声を入力するための音声入力装置と、予め定められた複数の属性と各属性に対応する少なくとも１つの語句との関係を記憶する記憶装置と、複数の区分が定められた歌詞情報に基づいて前記歌詞文字映像の表示制御を行う歌詞文字映像表示制御手段と、前記記憶装置に記憶された関係から、前記歌詞情報に含まれる語句に基づいて、前記複数の区分にそれぞれ対応する少なくとも１つの属性を決定する属性決定手段と、前記演奏曲の出力に際して、前記音声入力装置から入力される音声に関する情報に基づいて、前記歌詞情報の区分毎に演奏の採点を行う演奏採点制御手段と、前記属性決定手段により決定される各区分毎の属性に基づいて、前記演奏採点制御手段による各区分毎の採点結果を前記属性毎に統計する統計制御手段と、その統計制御手段による前記属性毎の統計結果に基づいて所定の演奏評価映像の表示制御を行う演奏評価映像表示制御手段とを、備えたことを特徴とするものである。
【発明の効果】
【０００８】
このようにすれば、音声を入力するための音声入力装置と、予め定められた複数の属性と各属性に対応する少なくとも１つの語句との関係を記憶する記憶装置と、複数の区分が定められた歌詞情報に基づいて前記歌詞文字映像の表示制御を行う歌詞文字映像表示制御手段と、前記記憶装置に記憶された関係から、前記歌詞情報に含まれる語句に基づいて、前記複数の区分にそれぞれ対応する少なくとも１つの属性を決定する属性決定手段と、前記演奏曲の出力に際して、前記音声入力装置から入力される音声に関する情報に基づいて、前記歌詞情報の区分毎に演奏の採点を行う演奏採点制御手段と、前記属性決定手段により決定される各区分毎の属性に基づいて、前記演奏採点制御手段による各区分毎の採点結果を前記属性毎に統計する統計制御手段と、その統計制御手段による前記属性毎の統計結果に基づいて所定の演奏評価映像の表示制御を行う演奏評価映像表示制御手段とを、備えたものであることから、各区分の採点結果を属性毎に統計することで、どういった意味合いの歌詞を上手く歌えているかという傾向を明らかにできると共に、その統計結果を抽象的な映像として表示させることで、利用者に意外な印象を与えることができる。すなわち、目新しく娯楽性の高い演奏評価を実現するカラオケ装置を提供することができる。
【０００９】
ここで、好適には、前記統計制御手段は、前記演奏採点制御手段による各区分毎の採点結果をすべて加算して総得点を算出すると共に、前記複数の属性毎にその属性に対応する区分の採点結果を加算して各属性の得点を算出し、前記総得点に対する各属性の得点の比率を算出する統計を行うものである。このようにすれば、簡単且つ実用的な態様で各区分の採点結果を属性毎に統計することができる。
【００１０】
また、好適には、前記複数の区分は、前記歌詞文字映像の表示を切り替えるための情報に基づいて定められたものである。このようにすれば、実用的な区分を単位として演奏の採点乃至各属性毎の統計を行うことができる。
【００１１】
また、好適には、前記演奏採点制御手段は、前記演奏曲の出力に際して、前記音声入力装置から入力される音声の音量、テンポ、及び音程に基づいて、前記歌詞情報の区分毎に演奏の採点を行うものである。このようにすれば、実用的な態様で演奏の採点を行うことができる。
【００１２】
以下、本発明の好適な実施例を図面に基づいて詳細に説明する。
【実施例】
【００１３】
図１は、本発明が好適に適用される通信カラオケシステム１０を説明する概略図である。この図１に示すように、斯かる通信カラオケシステム１０では、カラオケボックス、スナック、旅館等の店舗１２における複数の個室１４ａ、１４ｂ、１４ｃ、・・・（以下、特に区別しない場合には単に個室１４と称する）に本発明の一実施例であるそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６は、ルータ２８を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。このサーバ装置２０は、カラオケ情報（楽曲データ）、背景映像情報、曲間情報等のデジタルコンテンツ（Digital Contents）の保管や入出力管理の基本的な制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記通信カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１４】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ＣＲＴコントローラ等の映像出力制御部３２と、映像情報デコーダ３４と、ビデオミキサ３６と、音源であるシンセサイザ３８と、音声入力装置であるマイクロフォン４０と、Ａ／Ｄコンバータ４１と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置６４等の入力装置からのリモコン信号を受信するためのリモコン受信部６２とを、備えて構成されている。
【００１５】
前記映像出力制御部３２は、前記ＣＰＵ５０において生成された歌詞文字映像等の文字映像（テロップ）を出力する文字映像出力装置として機能する他、後述する演奏評価映像の表示をはじめとする前記映像表示装置３０による種々の映像表示を制御する表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサへ送られる。また、前記ビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００１６】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。また、前記Ａ／Ｄコンバータ４１は、音声入力装置である前記マイクロフォン４０から入力されるアナログ信号としての音声情報をディジタル信号に変換して前記ＣＰＵ５０等へ供給する。
【００１７】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００１８】
上記ＣＰＵ５０は、上記ＲＡＭ５４の一時記憶機能を利用しつつ上記ＲＯＭ５２に予め記憶された所定のプログラムに基づいて電子情報を処理・制御する所謂マイクロコンピュータであり、上記電子早見本装置２２やリモコン装置６４等により所定のカラオケ演奏曲が選曲された場合、その選曲されたカラオケ演奏曲を上記ＲＡＭ５４に設けられた予約曲テーブルに登録したり、その予約曲テーブルの演奏順に従って上記ハードディスク５６から上記ＲＡＭ５４に選曲されたカラオケ演奏曲の演奏情報及び歌詞情報等を読み出したり、カラオケ演奏曲の演奏が進行するのに応じてそのＲＡＭ５４から上記シンセサイザ３８へ演奏情報を送信したり、歌詞情報に基づいて歌詞文字映像を生成して上記映像出力制御部３２へ送ったり、選曲時には曲名文字映像を生成して上記映像出力制御部３２へ送ったり、上記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の基本的な制御に加えて、後述する演奏採点制御、採点結果の統計制御、及び演奏評価映像の表示制御等の各種制御を実行する。
【００１９】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００２０】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。
【００２１】
図３は、前記カラオケ装置１６のＣＰＵ５０に備えられた制御機能の要部を説明する機能ブロック線図である。この図３に示すように、前記ハードディスク５６には、カラオケ演奏曲を出力させるための多数のカラオケデータ（楽曲データ）を記憶するカラオケデータベース６６と、後述する演奏評価映像を出力させるための情報を記憶する演奏評価映像データベース６８と、予め定められた複数の属性と各属性に対応する少なくとも１つの語句との関係の一例である属性／語句テーブル７０とが、備えられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、或いは最新の演奏評価映像が出力可能とされるように、随時新たな楽曲データ等が前記サーバ装置２０から前記通信回線１８を介して配信され、前記ハードディスク５６のカラオケデータベース６６や演奏評価映像データベース６８等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記カラオケデータベース６６や演奏評価映像データベース６８等の内容が等価なものとされる。
【００２２】
上記カラオケデータベース６６に記憶されるカラオケデータは、演奏音を生成するための演奏情報及び歌詞文字映像（歌詞テロップ）を生成するための歌詞情報から成るものであり、コンテンツＩＤである各演奏曲に固有の選曲番号により識別される。この歌詞情報は、前記歌詞文字映像に対応する歌詞のテキスト情報と、演奏出力に併行してその歌詞文字映像の表示を切り替えるためにそのテキスト情報を複数に区分する区分情報と、演奏出力に併行してその歌詞文字映像を順次色替えするための色替タイミング情報とを、含んでいる。また、上記演奏評価映像データベース６８に記憶される情報は、前記映像出力制御部３２を介して前記映像表示装置３０に後述する図７（或いは図８）に示すような演奏評価映像１０４（或いは演奏評価映像１０６）を表示させるための情報である。また、上記属性／語句テーブル７０は、後述する図６に例示するように、上記歌詞情報に関して予め定められた複数の属性と、各属性に対応する語句との対応関係を定めるものである。
【００２３】
図３に示す演奏制御手段８０は、前記カラオケ装置１６によるカラオケ演奏に際しての演奏曲の出力を制御する。具体的には、前記ＲＡＭ５４等に記憶された予約曲テーブルにおける演奏順に、その予約曲テーブルに記憶された演奏曲の選曲番号に対応するカラオケ情報を前記カラオケデータベース６６から読み出し、そのカラオケ情報に含まれる演奏情報に基づいて演奏曲の出力を制御する。すなわち、演奏情報としてのＭＩＤＩデータに基づいて、前記シンセサイザ３８によりそのＭＩＤＩデータにおける楽譜情報としてのトラック乃至はチャンネルに対応する楽器の演奏音（音楽情報）を出力させ、前記アンプミキサ４２を介して前記スピーカ４４から出力させる。
【００２４】
歌詞文字映像表示制御手段８２は、前記カラオケ装置１６によるカラオケ演奏に際して前記映像表示装置３０における歌詞文字映像の表示を制御する。具体的には、所定の演奏曲のカラオケ演奏に際して、その演奏曲に対応するカラオケ情報に含まれる歌詞情報に基づく歌詞文字映像を上記演奏制御手段８０による演奏曲の出力に連動して生成し、その歌詞文字映像を前記映像出力制御部３２により出力させて前記ビデオミキサ３６へ入力させる。図４は、所定の演奏曲のカラオケ情報に含まれる歌詞情報の一部を示す図である。前述したように、前記カラオケ情報の歌詞情報は、その歌詞情報に対応する歌詞文字映像の表示を切り替えるためにそのテキスト情報を複数に区分する区分情報を含んでおり、図４ではその区分情報を縦二本線で示している。カラオケ演奏に際しては、この縦二本線で区分された部分の歌詞情報すなわちテキスト「そして僕らは今日も旅ゆく｜この果てしのない旅路を」に対応する歌詞文字映像が前記映像表示装置３０に一時に（一画面に）表示される。また、一画面に表示される歌詞文字映像を改行表示するための改行情報を縦一本線で示している。上記演奏制御手段８０によるカラオケ演奏制御に際しては、斯かる歌詞情報に基づいて上記歌詞文字映像表示制御手段８２により例えば図５に示すように上記テキスト「そして僕らは今日も旅ゆく｜この果てしのない旅路を」に対応する歌詞文字映像１０２を含む演奏映像１００が前記映像表示装置３０の画面に表示される。なお、この演奏映像１００の背景映像は、前記映像情報デコーダ３４により再生され、前記ビデオミキサ３６において上記歌詞文字映像１０２の背面側レイヤに合成されたものである。なお、前述のように、上記演奏制御手段８０によるカラオケ演奏に際しては、上記歌詞文字映像１０２が順次色替えさせられる色替え表示制御が行われるが、本実施例において斯かる制御については説明を省略する。
【００２５】
図３に戻って、演奏採点制御手段８４は、予め定められた関係から、音声入力装置である前記マイクロフォン４０により入力される利用者の音声の音量、テンポ、及び音程等の情報に基づいてその利用者の演奏を採点（評価）する。例えば、前記マイクロフォン４０により入力されて前記Ａ／Ｄコンバータ４１によりディジタル信号に変換された音声情報と、前記カラオケデータベース６６から読み出される演奏情報（ＭＩＤＩデータ）に基づいて前記シンセサイザ３８により出力される演奏情報とを比較し、メロディなどの基本音程と入力される音声から抽出される音程との相対的なずれやその音声の絶対的な声量などを基準として採点を行う。この採点の態様としては、例えば、千点満点中何点というように数値的に採点を行うものであってもよいし、２０段階評定の何れに当てはまるかを判定するというように簡易なものであってもよい。
【００２６】
また、上記演奏採点制御手段８４は、対象となる演奏曲が出力される間すなわち演奏開始から演奏終了までの間に所定のタイミングで複数回、例えばその演奏曲における所定のフレーズ（楽句）毎に上記採点を行い、演奏終了時に最終的な評価を算出する。具体的には、前記歌詞情報において一画面に表示される歌詞文字映像の単位としての区分を定める区分情報に基づいて、その区分毎に演奏の採点制御を行う。ここで、複数の区分（例えば２つの区分すなわち二画面分の歌詞文字映像に対応する部分）毎に斯かる採点を行うものであってもよい。また、斯かる区分よりも更に細かい単位として例えば歌詞文字映像を改行表示するための改行情報で区切られる区分毎に斯かる採点を行うものであってもよい。このようにして、カラオケ演奏と併行して上記演奏採点制御手段８４により採点された採点結果は、前記ＲＡＭ５４等の記憶装置に順次一時的に記憶される。
【００２７】
属性決定手段８６は、記憶装置としての前記ハードディスク５６の属性／語句テーブル７０に記憶された関係から、前記歌詞情報に含まれる語句に基づいて、前記複数の区分にそれぞれ対応する少なくとも１つの属性を決定する。図６は、前記ハードディスク５６に記憶された、予め定められた複数の属性と各属性に対応する少なくとも１つの語句との関係の一例である属性／語句テーブル７０を示す図である。この図６に示す属性／語句テーブル７０においては、前記歌詞情報に関して複数の属性が予め定められると共に、各属性にそれぞれ対応する複数の語句が定められている。例えば、属性「ビジネス」に対応して「サラリーマン」、「株、株式」、「仕事、しごと」等の語句が定められている。また、属性「友情」に対応して「友達、友だち、ともだち」、「仲間、なかま」、「仲良し、仲よし、なかよし、仲がいい、仲が良い」等の語句が定められている。また、属性「エロス」に対応して「おっぱい、胸、バスト」、「尻、しり、けつ」、「セクシー、セクスィー」等の語句が定められている。また、属性「優しさ」に対応して「思いやり、思い遣り、おもいやり」、「助け合い、たすけあい」、「親切、しんせつ」等の語句が定められている。
【００２８】
上記属性決定手段８６は、前記演奏採点制御手段８４による採点の単位である前記区分それぞれに対応する歌詞情報に関して、その歌詞情報に含まれる語句が上記属性／語句テーブル７０において定められているか否かを判定し、定められている場合にはその語句に対応する属性をその区分に対応する属性として決定する。ここで、区分によっては複数の属性に対応する語句を含む場合が考えられるが、斯かる場合にはその区分に対応して複数の属性を決定してもよいし、何れか１つの属性を決定してもよい。また、区分によっては上記属性／語句テーブル７０に定められた語句を含まない場合も考えられるが、斯かる場合には例えば「属性なし」がその区分の属性として決定される。このようにして決定された各区分の属性は、前記演奏採点制御手段８４によるその区分の採点結果と関連づけられて前記ＲＡＭ５４等の記憶装置に順次一時的に記憶される。
【００２９】
図３に戻って、統計制御手段８８は、前記属性決定手段８６により決定される各区分毎の属性に基づいて、前記演奏採点制御手段８４による各区分毎の採点結果を前記属性毎に統計する。好適には、前記演奏採点制御手段８４による各区分毎の採点結果をすべて加算して総得点を算出すると共に、前記複数の属性毎にその属性に対応する区分の採点結果を加算して各属性の得点を算出し、前記総得点に対する各属性の得点の比率を算出する統計を行う。例えば、第１の区分の属性が「友情」であり採点結果が「９０」点、第２の区分の属性が「優しさ」であり採点結果が「６０」点、第３の区分の属性が「友情」であり採点結果が「８０」点、第４の区分の属性が「エロス」であり採点結果が「７０」点であった場合には、総得点が３００（＝９０＋６０＋８０＋７０）、その総得点に対する属性「友情」の割合が０．５７（＝（８０＋９０）／３００）、属性「優しさ」の割合が０．２（＝６０／３００）、属性「エロス」の割合が０．２３（＝７０／３００）として算出される。このような統計処理によって、前記演奏採点制御手段８４による各区分毎の採点結果が、各属性毎の採点結果とされて前記ＲＡＭ５４等に一時的に記憶される。
【００３０】
また、上記統計制御手段８８は、総得点とは専ら関係なく各属性に対応する区分の採点結果の平均点を統計するものであってもよい。或いは、採点結果が予め定められた所定値以上であった区分に対応する属性を抽出したり、各区分を採点結果が高いものから順位付けしてその順位付けに従い属性の順位を決定するといったものでもよい。すなわち、上記統計制御手段８８は、前記属性決定手段８６により決定される各区分毎の属性に基づいて、前記演奏採点制御手段８４による各区分毎の採点結果を前記属性毎に統計するものであればよく、その統計には種々の態様が考えられる。
【００３１】
演奏評価映像表示制御手段９０は、上記統計制御手段８８による前記属性毎の統計結果に基づいて所定の演奏評価映像の表示制御を行う。具体的には、前記演奏評価映像データベース６８に記憶された情報に基づいて、上記統計制御手段８８による前記属性毎の統計結果に対応する演奏評価映像を、前記映像出力制御部３２及びビデオミキサ３６等を介して前記映像表示装置３０に表示させる制御を行う。図７は、上記演奏評価映像表示制御手段９０により前記映像表示装置３０に表示される映像の一例である演奏評価映像１０４を示す図である。この図７に示す演奏評価映像１０４では、上記統計制御手段８８により統計された各属性に対応する採点結果（総得点に対する割合、平均点等）が、前記演奏評価映像データベース６８に予め定められた各属性に対応する記号の個数乃至大きさに反映され、それらの記号が身体を表す映像の各部に合成されて表示される。この身体を表す映像に対する各属性に対応する記号の表示位置は、前記演奏評価映像データベース６８に予め定められたものであってもよいし、上記演奏評価映像表示制御手段９０によりランダムに定められるものであってもよい。また、図８は、上記演奏評価映像表示制御手段９０により前記映像表示装置３０に表示される映像の他の一例である演奏評価映像１０６を示す図である。この図８に示す演奏評価映像１０６では、上記統計制御手段８８により統計された各属性に対応する採点結果に基づいて、前記演奏評価映像データベース６８に予め定められたテキストが選択され、そのテキストが連結された文章に対応する文字映像が吹き出しを表す映像の中に合成されて表示される。このテキストは、各属性の意味に応じて定められたものであってもよいし、各属性の意味とは専ら関係なく面白おかしい単語が適当に定められたものであってもよい。本実施例のカラオケ装置１６においては、前記演奏採点制御手段８４による採点結果は、具体的な点数としては表示されず、このように抽象化された演奏評価映像１０４、１０６等として前記映像表示装置３０に表示される。
【００３２】
図９は、前記カラオケ装置１６のＣＰＵ５０による演奏評価制御の要部を説明するフローチャートであり、所定の周期で繰り返し実行されるものである。
【００３３】
先ず、ステップ（以下、ステップを省略する）Ｓ１において、採点モード（演奏評価モード）での所定の演奏曲のカラオケ演奏開始タイミングであるか否かが判断される。このＳ１の判断が否定される場合には、それをもって本ルーチンが終了させられるが、Ｓ１の判断が肯定される場合には、Ｓ２において、演奏開始に係る演奏曲に対応する楽曲データが前記カラオケデータベース６６から読み出され、前記ＲＡＭ５４等に展開される。次に、前記属性決定手段８６の動作に対応するＳ３において、前記ハードディスク５６の属性／語句テーブル７０に記憶された関係から、Ｓ２にて展開された楽曲データの歌詞情報に含まれる語句に基づいて、その歌詞情報における複数の区分にそれぞれ対応する少なくとも１つの属性が決定される。次に、Ｓ４において、Ｓ２にて展開された楽曲データの演奏情報（ＭＩＤＩデータ）に基づいて、前記シンセサイザ３８によりその演奏曲の出力が開始される。次に、Ｓ５において、Ｓ２にて展開された楽曲データの歌詞情報に基づいて、その歌詞情報に対応する歌詞文字映像の表示切替タイミングであるか否かが判断される。このＳ５の判断が否定される場合には、前記演奏採点制御手段８４の動作に対応するＳ６において、その時点において前記映像表示装置３０の画面に表示されている歌詞文字映像に対応する区分に関し、前記マイクロフォン４０からＡ／Ｄコンバータ４１を介して入力される音声に関する情報に基づいて演奏の採点が行われた後、Ｓ９以下の処理が実行されるが、Ｓ５の判断が肯定される場合には、前記歌詞文字映像表示制御手段８２の動作に対応するＳ７において、次の区分の歌詞情報に基づく歌詞文字映像が生成され、その歌詞文字映像が前記映像出力制御部３２により出力されて前記ビデオミキサ３６を介して前記映像表示装置３０に表示される。次に、Ｓ８において、演奏が終了した区分に関してＳ６の採点結果が前記ＲＡＭ５４等に記憶された後、Ｓ９において、カラオケ演奏終了タイミングであるか否かが判断される。このＳ９の判断が否定される場合には、Ｓ５以下の処理が再び実行されるが、Ｓ９の判断が肯定される場合には、前記統計制御手段８８の動作に対応するＳ１０において、Ｓ３にて決定された各区分毎の属性に基づいて、Ｓ６による各区分毎の採点結果が前記属性毎に統計される。次に、前記演奏評価映像表示制御手段９０の動作に対応するＳ１１において、Ｓ１０による属性毎の統計結果に基づいて図７或いは図８に示すような演奏評価映像１０４、１０６等が前記映像表示装置３０に表示された後、本ルーチンが終了させられる。以上の制御において、Ｓ４及びＳ９が前記演奏制御手段８０の動作に対応する。
【００３４】
このように、本実施例によれば、音声を入力するための音声入力装置であるマイクロフォン４０と、予め定められた複数の属性と各属性に対応する少なくとも１つの語句との関係を記憶する記憶装置であるハードディスク５６と、複数の区分が定められた歌詞情報に基づいて歌詞文字映像１０２の表示制御を行う歌詞文字映像表示制御手段８２（Ｓ７）と、前記ハードディスク５６に記憶された関係から、前記歌詞情報に含まれる語句に基づいて、前記複数の区分にそれぞれ対応する少なくとも１つの属性を決定する属性決定手段８６（Ｓ３）と、前記演奏曲の出力に際して、前記マイクロフォン４０から入力される音声に関する情報に基づいて、前記歌詞情報の区分毎に演奏の採点を行う演奏採点制御手段８４（Ｓ６）と、前記属性決定手段８６により決定される各区分毎の属性に基づいて、前記演奏採点制御手段８４による各区分毎の採点結果を前記属性毎に統計する統計制御手段８８（Ｓ１０）と、その統計制御手段８８による前記属性毎の統計結果に基づいて所定の演奏評価映像１０４、１０６の表示制御を行う演奏評価映像表示制御手段９０（Ｓ１１）とを、備えたものであることから、各区分の採点結果を属性毎に統計することで、どういった意味合いの歌詞を上手く歌えているかという傾向を明らかにできると共に、その統計結果を抽象的な映像として表示させることで、利用者に意外な印象を与えることができる。すなわち、目新しく娯楽性の高い演奏評価を実現するカラオケ装置１６を提供することができる。
【００３５】
また、前記統計制御手段８８は、前記演奏採点制御手段８４による各区分毎の採点結果をすべて加算して総得点を算出すると共に、前記複数の属性毎にその属性に対応する区分の採点結果を加算して各属性の得点を算出し、前記総得点に対する各属性の得点の比率を算出する統計を行うものであるため、簡単且つ実用的な態様で各区分の採点結果を属性毎に統計することができる。
【００３６】
また、前記複数の区分は、前記歌詞文字映像１０２の表示を切り替えるための情報に基づいて定められたものであるため、実用的な区分を単位として演奏の採点乃至各属性毎の統計を行うことができる。
【００３７】
また、前記演奏採点制御手段８４は、前記演奏曲の出力に際して、前記マイクロフォン４０から入力される音声の音量、テンポ、及び音程に基づいて、前記歌詞情報の区分毎に演奏の採点を行うものであるため、実用的な態様で演奏の採点を行うことができる。
【００３８】
以上、本発明の好適な実施例を図面に基づいて詳細に説明したが、本発明はこれに限定されるものではなく、更に別の態様においても実施される。
【００３９】
例えば、前述の実施例において、前記演奏採点制御手段８４、属性決定手段８６、及び統計制御手段８８は、何れも前記カラオケ装置１６のＣＰＵ５０に機能的に備えられたものであったが、これらの制御機能の一部乃至全部が前記サーバ装置２０に備えられたものであってもよい。すなわち、前記演奏採点制御、属性決定制御、及び採点結果の統計制御等は、前記サーバ装置２０により一元的に行われるものであってもよい。また、それらの制御機能が前記電子早見本装置２２のＣＰＵに備えられたものであってもよい。斯かる態様においては、その電子早見本装置２２により前記演奏採点制御、属性決定制御、及び採点結果の統計制御等が実行される。
【００４０】
また、前述の実施例では特に言及していないが、前記統計制御手段８８による統計結果乃至演奏評価映像表示制御手段９０により表示された演奏評価映像１０４等を利用者の識別情報と関連づけて前記サーバ装置２０等に蓄積し、その演奏評価映像１０４等の時系列変化が閲覧できるようにしてもよい。
【００４１】
その他、一々例示はしないが、本発明はその趣旨を逸脱しない範囲内において種々の変更が加えられて実施されるものである。
【図面の簡単な説明】
【００４２】
【図１】本発明が好適に適用される通信カラオケシステムを説明する概略図である。
【図２】本発明の一実施例であるカラオケ装置の構成を例示するブロック線図である。
【図３】図２のカラオケ装置のＣＰＵに備えられた制御機能の要部を説明する機能ブロック線図である。
【図４】所定の演奏曲のカラオケ情報に含まれる歌詞情報の一部を示す図である。
【図５】図４の歌詞情報に対応して図２の映像表示装置に表示される歌詞文字映像及び演奏映像を例示する図である。
【図６】図２のハードディスクに記憶された、予め定められた複数の属性と各属性に対応する少なくとも１つの語句との関係の一例である属性／語句テーブルを示す図である。
【図７】図２の映像表示装置に表示される演奏評価映像の一例を示す図である。
【図８】図２の映像表示装置に表示される演奏評価映像の他の一例を示す図である。
【図９】図２のカラオケ装置のＣＰＵによる演奏評価制御の要部を説明するフローチャートである。
【符号の説明】
【００４３】
１６：カラオケ装置
４０：マイクロフォン（音声入力装置）
５６：ハードディスク（記憶装置）
７０：属性／語句テーブル
８２：歌詞文字映像表示制御手段
８４：演奏採点制御手段
８６：属性決定手段
８８：統計制御手段
９０：演奏評価映像表示制御手段
１００：演奏映像
１０２：歌詞文字映像
１０４、１０６：演奏評価映像
【図１】
0005039609.tif 000002
【図２】
0005039609.tif 000003
【図３】
0005039609.tif 000004
【図４】
0005039609.tif 000005
【図６】
0005039609.tif 000006
【図９】
0005039609.tif 000007
【図５】
0005039609.tif 000008
【図７】
0005039609.tif 000009
【図８】
0005039609.tif 000010